(57)【要約】【課題】制御回路基板の裏面側に虫等が侵入することを防止して、機器の破損を回避することができるインバータ装置を提供すること。【解決手段】前面に開口１１が形成され、かつ内部の収納域１２に制御部品が実装された制御回路基板３０が収納された本体ケース１０と、本体ケースの前面開口１１を閉塞する本体カバー２０とを備えたインバータ装置において、本体ケース１０は、収納域１２に向けて突出する態様で形成され、かつ自身の突出端面１４が制御回路基板３０の裏面側外縁部に当接することにより該制御回路基板の裏面を囲繞するケース壁部材１３を備えたものである。【選択図】図３
2012039708.tif 000002
【特許請求の範囲】
【請求項１】
前面に開口が形成され、かつ内部の収納域に制御部品が実装された制御回路基板が収納された本体ケースと、
前記本体ケースの前面開口を閉塞する本体カバーと
を備えたインバータ装置において、
前記本体ケースは、前記収納域に向けて突出する態様で形成され、かつ自身の突出端面が前記制御回路基板の裏面側外縁部に当接することにより該制御回路基板の裏面を囲繞するケース壁部材を備えたことを特徴とするインバータ装置。
【請求項２】
前記本体カバーは、前記収納域に向けて突出する態様で形成され、かつ自身の突出端面が前記制御回路基板の表面に当接することにより該制御回路基板の表面に実装された外部インターフェース部品とその他の制御部品とを区画するカバー壁部材を備えたことを特徴とする請求項１に記載のインバータ装置。
【発明の詳細な説明】
【技術分野】
【０００１】
本発明は、インバータ装置に関し、より詳細には、前面に開口が形成され、かつ内部の収納域に制御部品が実装された制御回路基板が収納された本体ケースと、本体ケースの前面開口を閉塞する本体カバーとを備えたインバータ装置に関するものである。
【背景技術】
【０００２】
一般的に、商用の交流電源等から交流電力を受電し、任意の周波数及び電圧の交流電力に変換して出力することにより負荷を駆動するインバータ装置が知られている。
【０００３】
このようなインバータ装置においては、所望の周波数及び電圧の交流電力に出力する主回路部の他に、与えられた指令に応じて主回路部の動作を制御する部品が実装された制御回路基板を有する制御回路部が設けられており、これら主回路部及び制御回路部が本体ケースの収納域にそれぞれユニット化されて収納され、該本体ケースの前面開口が本体カバーにより閉塞されている（例えば、特許文献１参照）。
【先行技術文献】
【特許文献】
【０００４】
【特許文献１】特開平１１−１７８３４５号公報
【発明の概要】
【発明が解決しようとする課題】
【０００５】
ところで、上記インバータ装置には、本体ケースと本体カバーとの間に隙間が形成されていたり、外部インターフェース部品が設けられている個所に開口が形成されていたりするのが一般的である。そのため、かかるインバータ装置を屋外に設置した場合に、上記隙間や開口から虫等が侵入し、特に平板状である制御回路基板の裏面に至ることがある。制御回路基板には、高電圧部品が実装されており、その裏面には多くの電気回路が形成されることから、侵入した虫等によりかかる電気回路が短絡してしまい、結果的に機器の破損を招来する虞れがあった。
【０００６】
本発明は、上記実情に鑑みて、制御回路基板の裏面側に虫等が侵入することを防止して、機器の破損を回避することができるインバータ装置を提供することを目的とする。
【課題を解決するための手段】
【０００７】
上記目的を達成するために、本発明の請求項１に係るインバータ装置は、前面に開口が形成され、かつ内部の収納域に制御部品が実装された制御回路基板が収納された本体ケースと、前記本体ケースの前面開口を閉塞する本体カバーとを備えたインバータ装置において、前記本体ケースは、前記収納域に向けて突出する態様で形成され、かつ自身の突出端面が前記制御回路基板の裏面側外縁部に当接することにより該制御回路基板の裏面を囲繞するケース壁部材を備えたことを特徴とする。
【０００８】
また、本発明の請求項２に係るインバータ装置は、上述した請求項１において、前記本体カバーは、前記収納域に向けて突出する態様で形成され、かつ自身の突出端面が前記制御回路基板の表面に当接することにより該制御回路基板の表面に実装された外部インターフェース部品とその他の制御部品とを区画するカバー壁部材を備えたことを特徴とする。
【発明の効果】
【０００９】
本発明のインバータ装置によれば、本体ケースに収納域に向けて突出する態様で形成されたケース壁部材が、自身の突出端面が制御回路基板の裏面側外縁部に当接することにより該制御回路基板の裏面を囲繞するので、本体ケースと本体カバーとの隙間等と、制御回路基板の裏面側とを遮断することができ、これにより当該隙間等から虫等が侵入しても、虫等が制御回路基板の裏面側に侵入する虞れがない。これにより、侵入した虫等により電気回路が短絡してしまうことがない。従って、制御回路基板の裏面側に虫等が侵入することを防止して、機器の破損を回避することができるという効果を奏する。
【図面の簡単な説明】
【００１０】
【図１】図１は、本発明の実施の形態であるインバータ装置の構成を示す斜視図である。
【図２】図２は、図１に示した本体ケースの収納域を示す斜視図である。
【図３】図３は、図１及び図２に示した本体ケースの内部構造を示す斜視図である。
【図４】図４は、図３の要部を拡大して示す拡大斜視図である。
【図５】図５は、本体ケース側から制御回路基板の裏面側を見た場合を拡大して示す拡大断面図である。
【図６】図６は、図１に示した本体カバーの内部構造を拡大して示す斜視図である。
【図７】図７は、本体カバー側から制御回路基板の表面側を見た場合を拡大して示す拡大断面図である。
【発明を実施するための形態】
【００１１】
以下に添付図面を参照して、本発明に係るインバータ装置の好適な実施の形態について詳細に説明する。
【００１２】
図１は、本発明の実施の形態であるインバータ装置の構成を示す斜視図である。ここに例示するインバータ装置は、本体ケース１０と本体カバー２０とを備えて構成してある。
【００１３】
本体ケース１０は、図２に示すように、前面に開口１１が形成された筐体であり、その内部の収納域１２に制御回路基板３０がネジ１により取り付けられて配設してある。制御回路基板３０は、種々の制御回路部品が実装されており、より詳細には、与えられた指令に応じて主回路部（図示せず）の動作を制御する部品や、外部機器との接続を行う外部インターフェース部品３１等が実装されている。ここで主回路部は、本体ケース１０に収納してあり、商用電源からの供給された交流電力を所望の周波数及び電圧の交流電力に変換して出力するインバータ主回路を有している。
【００１４】
このような本体ケース１０には、図３に示すように、ケース壁部材１３が形成してある。ケース壁部材１３は、収納域１２に向けて突出する態様で形成され、該収納域１２に配設される制御回路基板３０の外縁部に沿って延在している。このようなケース壁部材１３は、自身の突出端面１４が制御回路基板３０の裏面側外縁部に当接することにより該制御回路基板３０の裏面を囲繞するものである。
【００１５】
また、本体ケース１０においては、図４に拡大して示すように、制御回路基板３０の外部インターフェース部品３１が実装される個所には、かかる外部インターフェース部品３１を外部に露出するための開口１５（図１参照）を形成する切欠部１６が形成してある。
【００１６】
かかるケース壁部材１３により、制御回路基板３０の裏面側は密閉空間内に露出されることとなり、図５に示すように、外部インターフェース部品３１が実装される部位においては、開口１５と制御回路基板３０の裏面側とはケース壁部材１３で遮断されている。
【００１７】
本体カバー２０は、ネジ２を介して本体ケース１０の前面開口１１を閉塞する態様で該本体ケース１０に取り付けてある。この本体カバー２０には、図には明示しないが、操作パネル等が配設してある。
【００１８】
このような本体カバー２０には、図６に拡大して示すように、収納域１２に向けて突出する態様で形成されたカバー壁部材２１が設けてある。このカバー壁部材２１は、その突出端面２２が制御回路基板３０の表面に当接することにより該制御回路基板３０の表面に実装された外部インターフェース部品３１とその他の制御部品とを区画するものである。
【００１９】
かかるカバー壁部材２１により、図７に示すように、外部インターフェース部品３１が実装される部位においては、開口１５と制御回路基板３０の表面側とが遮断されている。
【００２０】
以上のような構成を有するインバータ装置においては、本体ケース１０のケース壁部材１３が、その突出端面１４が制御回路基板３０の裏面側外縁部に当接することにより該制御回路基板３０の裏面を囲繞するので、外部インターフェース部品３１等による開口１５が形成されていても、かかる開口１５、あるいは本体ケース１０と本体カバー２０との隙間と、制御回路基板３０の裏面側とを遮断することができ、これにより開口１５等から虫等が侵入しても、虫等が制御回路基板３０の裏面側に侵入する虞れがない。これにより、侵入した虫等により電気回路が短絡してしまうことがない。
【００２１】
従って、本発明の実施の形態であるインバータ装置によれば、制御回路基板３０の裏面側に虫等が侵入することを防止して、機器の破損を回避することができる。
【００２２】
また、本体カバー２０のカバー壁部材２１が、その突出端面２２が制御回路基板３０の表面に当接することにより該制御回路基板３０の表面に実装された外部インターフェース部品３１とその他の制御部品とを区画するので、外部インターフェース部品３１等による開口１５が形成されていても、かかる開口１５と、制御回路基板３０の表面側とを遮断することができ、これにより開口１５から虫等が侵入しても、虫等が制御回路基板３０の表面側に侵入することを防止することができる。
【００２３】
以上、本発明の好適な実施の形態について説明したが、本発明はこれに限定されるものではなく、種々の変更を行うことができる。
【００２４】
例えば、本体ケース１０の裏面側に配設してある冷却フィン部材１７（図１参照）の温度を検知する温度センサを備え、かかる温度センサで検知される温度が予め決められた閾値を超えると、出力する周波数を低減させる制御部品を制御回路基板に実装するようにしてもよい。これによれば、負荷電流を小さくすることができ、ケース壁部材等を設けたことによるケース本体の収納域に高温異常が生ずることを防止することができる。
【００２５】
また、上述した実施の形態では、本体カバー２０にカバー壁部材２１を設けていたが、本発明ではかかるカバー壁部材２１は必須の構成要素ではなく、設けていなくても構わない。
【産業上の利用可能性】
【００２６】
以上のように、本発明に係るインバータ装置は、商用電源からの供給電力に基づいて負荷を駆動するのに有用である。
【符号の説明】
【００２７】
１０  本体ケース
１１  前面開口
１２  収納域
１３  ケース壁部材
１４  突出端面
１５  開口
１６  切欠部
２０  本体カバー
２１  カバー壁部材
２２  突出端面
３０  制御回路基板
３１  外部インターフェース部品
【図１】
2012039708.tif 000003
【図２】
2012039708.tif 000004
【図３】
2012039708.tif 000005
【図４】
2012039708.tif 000006
【図５】
2012039708.tif 000007
【図６】
2012039708.tif 000008
【図７】
2012039708.tif 000009